(57)【要約】【課題】画像の破壊処理が実施されたことをユーザに確実に認識させることができるとともに、画像を破壊したことをユーザに示すための画像形成時における現像剤の消費を抑制しつつ、機密文書等の漏洩を確実に防止することのできる画像形成装置を提供する。【解決手段】画像破壊処理部は、画像に複写禁止用ドットパターンが存在するとき（♯３でＹＥＳ）、画像データに対して画像破壊処理を行い（♯５）、格納処理部は画像破壊処理後の画像データを記憶部に格納する（♯６）。ＲＧＢ／ＣＭＹ変換処理部は、その画像データをＣＭＹの画像データＣ１，Ｍ１，Ｙ１に変換し（♯７）、ＵＣＲ・黒生成処理部は、式「Ｋ１＝ｍｉｎ（Ｃ１，Ｍ１，Ｙ１）×α」の係数αを「１」に設定し、式「Ｃ２＝Ｃ１−Ｋ１，Ｍ２＝Ｍ１−Ｋ１，Ｙ２＝Ｙ１−Ｋ１」を用いて画像データＫ１，Ｃ２，Ｍ２，Ｙ２を生成する（♯１０）。【選択図】図３
2010130529.tif 000002
【特許請求の範囲】
【請求項１】
予め定められた複数の色からなる第１の表色系の原稿画像データを取得し、前記原稿画像データに予め定められた処理を施してなる画像データを、前記第１の表色系と異なる予め定められた第２の表色系の複数の色の現像剤を用いて画像を形成する画像形成部に出力する画像処理装置であって、
前記原稿画像データの中に予め定められた画像形成禁止用ドットパターンが存在するか否かを検出する検出部と、
前記検出部により画像形成禁止用ドットパターンが検出されると、前記原稿画像データを構成する各画素の画素データをそれぞれ予め定められた同一値に変換してなる破壊データを生成する画像破壊処理部と、
前記画像破壊処理部により生成された破壊データを記憶する記憶部と、
前記現像剤の各色のうち予め定められた１つの色を特定色というとき、前記記憶部に記憶された破壊データを前記特定色のみ成分を有する画像データに変換する変換処理部と
を有する画像処理装置。
【請求項２】
前記第１の表色系は、赤、緑、青からなる表色系であり、
前記第２の表色系は、シアン、マゼンタ、イエロー、黒からなる表色系であり、
前記画像破壊処理部は、前記原稿画像データを構成する各画素の赤、緑、青の画素データを全て予め定められた１つの画素値に設定してなる画像データを破壊データとして生成し、
前記変換処理部は、
前記破壊データをシアン、マゼンタ、イエローの各色の画像データＣ１，Ｍ１，Ｙ１に変換するとともに、下記式（１）における係数αを１に設定し、前記画像データＣ１，Ｍ１，Ｙ１から下記式（１）を用いて前記黒色の画像データＫ１を導出する黒生成処理部と、
前記画像データＣ１，Ｍ１，Ｙ１，Ｋ１と前記式（２）〜（４）とを用い、下色除去を施したシアン、マゼンタ、イエローの画像データＣ２，Ｍ２，Ｙ２を生成し、前記画像データＣ２，Ｍ２，Ｙ２，Ｋ１を、前記画像形成部に出力する画像データとして設定する下色除去処理部と
を有する請求項１に記載の画像処理装置。
Ｋ１＝ｍｉｎ（Ｃ１，Ｍ１，Ｙ１）×α（αは０から１までの係数）・・・（１）
Ｃ２＝Ｃ１−Ｋ１    ・・・（２）
Ｍ２＝Ｍ１−Ｋ１    ・・・（３）
Ｙ２＝Ｙ１−Ｋ１    ・・・（４）
ｍｉｎ（Ｃ１，Ｍ１，Ｙ１）は、画像データＣ１，Ｍ１，Ｙ１の中で最小のもの
【請求項３】
前記第１の表色系は、赤、緑、青からなる表色系であり、
前記第２の表色系は、シアン、マゼンタ、イエロー、黒からなる表色系であり、
前記画像破壊処理部は、前記原稿画像データを構成する各画素の赤、緑、青の画素データを全て予め定められた１つの画素値に設定してなる画像データを破壊データとして生成し、
前記変換処理部は、
前記破壊データをシアン、マゼンタ、イエローの各色の画像データＣ１，Ｍ１，Ｙ１に変換するとともに、下記式（５）における係数αを１に設定し、前記画像データＣ１，Ｍ１，Ｙ１から下記式（５）を用い画像データＴ１を前記特定色の画像データとして導出する第１の処理部と、
前記画像データＣ１，Ｍ１，Ｙ１，Ｔ１から前記式（６）〜（８）を用い、画像データＴ２，Ｔ３，Ｔ４を前記特定色以外の各色の画像データとして生成し、前記画像データＴ１，Ｔ２，Ｔ３，Ｔ４を、前記画像形成部に出力する画像データとして設定する第２の処理部と
を有する請求項１に記載の画像処理装置。
Ｔ１＝ｍｉｎ（Ｃ１，Ｍ１，Ｙ１）×α（αは０から１までの係数）・・・（５）
Ｔ２＝Ｃ１−Ｔ１    ・・・（６）
Ｔ３＝Ｍ１−Ｔ１    ・・・（７）
Ｔ４＝Ｙ１−Ｔ１    ・・・（８）
ｍｉｎ（Ｃ１，Ｍ１，Ｙ１）は、画像データＣ１，Ｍ１，Ｙ１の中で最小のもの
【請求項４】
請求項１乃至３のいずれか一項に記載の画像処理装置と、
前記各色の現像剤を用いて画像を形成する画像形成部を備え、
前記画像形成部は、前記画像処理装置から出力される前記画像データに基づき記録媒体への画像形成動作を行う画像形成装置。
【請求項５】
予め定められた複数の色からなる第１の表色系の原稿画像データを取得し、前記原稿画像データに予め定められた処理を施してなる画像データを、前記第１の表色系と異なる予め定められた第２の表色系の複数の色の現像剤を用いて画像を形成する画像形成部に出力する画像処理装置の画像処理方法であって、
検出部が、前記原稿画像データの中に予め定められた画像形成禁止用ドットパターンが存在するか否かを検出する検出ステップと、
画像破壊処理部が、前記検出ステップにより画像形成禁止用ドットパターンが検出されると、前記原稿画像データを構成する各画素の画素データをそれぞれ予め定められた同一値に変換してなる破壊データを生成する画像破壊処理ステップと、
記憶部が、前記画像破壊処理ステップにより生成された破壊データを記憶する記憶ステップと、
変換処理部が、前記現像剤の各色のうち予め定められた１つの色を特定色というとき、前記記憶ステップで記憶された破壊データを前記特定色のみ成分を有する画像データに変換する変換処理ステップと
を有する画像処理方法。
【請求項６】
前記第１の表色系は、赤、緑、青からなる表色系であり、
前記第２の表色系は、シアン、マゼンタ、イエロー、黒からなる表色系であり、
前記画像破壊処理ステップは、前記原稿画像データを構成する各画素の赤、緑、青の画素データを全て予め定められた１つの画素値に設定してなる画像データを破壊データとして生成するステップであり、
前記変換処理ステップは、
黒生成処理部が、前記破壊データをシアン、マゼンタ、イエローの各色の画像データＣ１，Ｍ１，Ｙ１に変換するとともに、下記式（１）における係数αを１に設定し、前記画像データＣ１，Ｍ１，Ｙ１から下記式（１）を用いて前記黒色の画像データＫ１を導出する黒生成処理ステップと、
下色除去処理部が、前記画像データＣ１，Ｍ１，Ｙ１，Ｋ１と前記式（２）〜（４）とを用い、下色除去を施したシアン、マゼンタ、イエローの画像データＣ２，Ｍ２，Ｙ２を生成し、前記画像データＣ２，Ｍ２，Ｙ２，Ｋ１を、前記画像形成部に出力する画像データとして設定する下色除去処理ステップと
を有する請求項５に記載の画像処理方法。
Ｋ１＝ｍｉｎ（Ｃ１，Ｍ１，Ｙ１）×α（αは０から１までの係数）・・・（１）
Ｃ２＝Ｃ１−Ｋ１    ・・・（２）
Ｍ２＝Ｍ１−Ｋ１    ・・・（３）
Ｙ２＝Ｙ１−Ｋ１    ・・・（４）
ｍｉｎ（Ｃ１，Ｍ１，Ｙ１）は、画像データＣ１，Ｍ１，Ｙ１の中で最小のもの
【請求項７】
前記第１の表色系は、赤、緑、青からなる表色系であり、
前記第２の表色系は、シアン、マゼンタ、イエロー、黒からなる表色系であり、
前記画像破壊処理ステップは、前記原稿画像データを構成する各画素の赤、緑、青の画素データを全て予め定められた１つの画素値に設定してなる画像データを破壊データとして生成するステップであり、
前記変換処理ステップは、
第１の処理部が、前記破壊データをシアン、マゼンタ、イエローの各色の画像データＣ１，Ｍ１，Ｙ１に変換するとともに、下記式（５）における係数αを１に設定し、前記画像データＣ１，Ｍ１，Ｙ１から下記式（５）を用い画像データＴ１を前記特定色の画像データとして導出する第１の処理ステップと、
第２の処理部が、前記画像データＣ１，Ｍ１，Ｙ１，Ｔ１から前記式（６）〜（８）を用い、画像データＴ２，Ｔ３，Ｔ４を前記特定色以外の各色の画像データとして生成し、前記画像データＴ１，Ｔ２，Ｔ３，Ｔ４を、前記画像形成部に出力する画像データとして設定する第２の処理ステップと
を有する請求項５に記載の画像処理方法。
Ｔ１＝ｍｉｎ（Ｃ１，Ｍ１，Ｙ１）×α（αは０から１までの係数）・・・（５）
Ｔ２＝Ｃ１−Ｔ１    ・・・（６）
Ｔ３＝Ｍ１−Ｔ１    ・・・（７）
Ｔ４＝Ｙ１−Ｔ１    ・・・（８）
ｍｉｎ（Ｃ１，Ｍ１，Ｙ１）は、画像データＣ１，Ｍ１，Ｙ１の中で最小のもの
【発明の詳細な説明】
【技術分野】
【０００１】
本発明は、機密文書等の重要書類の不正な複写による機密情報の漏洩や偽造を防止するための技術に関するものである。
【背景技術】
【０００２】
従来、複合機や複写機等の画像形成装置や画像読取装置に対し、画像の不正な読み取りや出力等の抑止機能が要求されている。特に企業においては機密文書の不正な読み取り等によって機密情報が外部に漏洩することは大きな問題となることから、機密文書の読み取り等を確実に防止・規制する技術が強く要望されている。
【０００３】
この種の技術に関する技術文献として例えば下記特許文献１がある。下記特許文献１には、機密文書等を用紙に出力する際の背景に特殊なドットパターンを形成し、このドットパターンを複写時に検出し、検出したドットパターンを、記憶領域に記憶されている出力を禁止する複写禁止用ドットパターンと比較して、その一致の有無を検出することで、原稿画像における画像出力の禁止の要否を判断する技術が開示されている。
【０００４】
一方、複合機や複写機などの装置の中に、印刷後における画像データの使用可能性を考慮して、大容量の記憶容量をもつメモリやＨＤＤ等の記憶部を搭載し、読み取った原稿の画像をその記憶部に一旦蓄積させるものがある。このような装置にあっては、原稿から特殊なドットパターンを検出できたとしても、前記記憶部に画像データが保存されると、該記憶部を不正に取り外したり持ち出したりすることに因る情報漏洩の危険性がある。そのため、この種の画像形成装置においては、前記記憶部に画像データが保存される前の段階で画像を破壊することが要求される。
【０００５】
この画像の破壊に関する技術文献として、例えば下記特許文献２がある。下記特許文献２には、「破壊部２０２は、上記のスキャン処理Ｓ１１０により原稿から取得された画像に所定画像が包含されていると図２の判定部２０１により判定された場合、当該画像に破壊パターンを挿入して当該画像を破壊する・・・（中略）・・・破壊部２０２は、より詳細には、個別画像処理Ｓ２２０の途中の段階又は最後の段階の上記画像に破壊パターンを挿入して上記画像を破壊する（［００３０］〜［００３２］）」と記載されている。
【特許文献１】特開２００４−２７４０９２号公報
【特許文献２】特開２００６−１７３７５７号公報
【発明の開示】
【発明が解決しようとする課題】
【０００６】
ところで、画像を破壊する機能を備えた画像形成装置にあっては、画像の破壊処理を実施したことをユーザに示すべく、破壊処理後の画像データに基づく画像形成動作を用紙に対して実施する場合がある。ここで、次のような改善すべき点があった。
【０００７】
すなわち、Ｒ（赤）、Ｇ（緑）、Ｂ（青）の各色の画像データに対し、画像を例えば黒色で塗りつぶすような破壊処理を行う場合、前記各色の画像データを全て画素値が０（零）の画像データに変換し、該変換後の画像データを記憶部に格納する。ここで、シアン、マゼンタ、イエロー及び黒の現像剤を用いて画像形成動作を行う画像形成装置においては、前記記憶部に格納した画像データを、シアン、マゼンタ、イエロー及び黒色の画像データに変換する必要があるが、このとき、従来通りに通常の画像処理を適用すると、それらの色においてそれぞれ成分を有した画像データがそれぞれ生成される。
【０００８】
例えば画素値がそれぞれ零のＲ，Ｇ，Ｂの画像データを、シアン、マゼンタ及びイエローの画像データに変換すると、それらの画像データが示す画素値は、２５６階調で表した場合には「２５５」となる。
【０００９】
その結果、黒色の現像剤のみで画像形成を行えば良いにも拘らず、シアン、マゼンタ、イエローの３つの現像剤が使用されることとなり、無駄に多くの現像剤が消費される。
【００１０】
そこで、現像剤の節約のために、画像を白色で塗りつぶすような破壊処理を行うことが考えられる。しかしながら、この場合、該破壊処理後の画像データに基づく画像形成動作を、一般的に用いられる白色の用紙に対して実施した場合、白紙の状態で出力されることになるため、ユーザは、画像の破壊処理が確実に実施されたのか、それとも画像形成装置の故障に因って前記破壊処理後の画像データに基づく画像形成動作が実行されなかったのかを判断することが困難となる。
【００１１】
本発明は、上述した問題点を解決するためになされたものであり、画像の破壊処理が実施されたことをユーザに確実に認識させることができるとともに、画像を破壊したことをユーザに示すための画像形成時における現像剤の消費を抑制しつつ、機密文書等の漏洩を確実に防止することのできる画像処理装置、画像処理方法及び画像形成装置を提供することを目的とする。
【課題を解決するための手段】
【００１２】
請求項１に記載の発明は、予め定められた複数の色からなる第１の表色系の原稿画像データを取得し、前記原稿画像データに予め定められた処理を施してなる画像データを、前記第１の表色系と異なる予め定められた第２の表色系の複数の色の現像剤を用いて画像を形成する画像形成部に出力する画像処理装置であって、前記原稿画像データの中に予め定められた画像形成禁止用ドットパターンが存在するか否かを検出する検出部と、前記検出部により画像形成禁止用ドットパターンが検出されると、前記原稿画像データを構成する各画素の画素データをそれぞれ予め定められた同一値に変換してなる破壊データを生成する画像破壊処理部と、前記画像破壊処理部により生成された破壊データを記憶する記憶部と、前記現像剤の各色のうち予め定められた１つの色を特定色というとき、前記記憶部に記憶された破壊データを前記特定色のみ成分を有する画像データに変換する変換処理部とを有するものである。
【００１３】
請求項５に記載の発明は、予め定められた複数の色からなる第１の表色系の原稿画像データを取得し、前記原稿画像データに予め定められた処理を施してなる画像データを、前記第１の表色系と異なる予め定められた第２の表色系の複数の色の現像剤を用いて画像を形成する画像形成部に出力する画像処理装置の画像処理方法であって、検出部が、前記原稿画像データの中に予め定められた画像形成禁止用ドットパターンが存在するか否かを検出する検出ステップと、画像破壊処理部が、前記検出ステップにより画像形成禁止用ドットパターンが検出されると、前記原稿画像データを構成する各画素の画素データをそれぞれ予め定められた同一値に変換してなる破壊データを生成する画像破壊処理ステップと、記憶部が、前記画像破壊処理ステップにより生成された破壊データを記憶する記憶ステップと、変換処理部が、前記現像剤の各色のうち予め定められた１つの色を特定色というとき、前記記憶ステップで記憶された破壊データを前記特定色のみ成分を有する画像データに変換する変換処理ステップとを有するものである。
【００１４】
これらの発明によれば、画像形成禁止用ドットパターンデータが検出されると、前記原稿画像データを構成する各画素の画素データをそれぞれ予め定められた同一値に変換してなる破壊データを生成し、その後に、該破壊データを記憶部に記憶するようにしたので、該記憶部が不正に取り外されたり持ち出されたりしても該記憶部に記憶されている情報が外部に漏洩するのを防止することができる。
【００１５】
また、前記記憶部に記憶された破壊データを前記特定色のみ成分を有する画像データに変換するようにしたので、画像を破壊したことを示すべく前記破壊データに基づく画像形成動作を実施する場合に、前記特定色の現像剤のみが前記画像形成動作に使用され、前記特定色を除く色の現像剤は前記画像形成動作に使用されないことになる。
【００１６】
これにより、特定色の現像剤のみで画像形成を行えばよいにも拘らず、前記破壊データから、前記現像剤の色のうち複数の色において成分を有する画像データが生成された場合に複数の色の現像剤が使用されるという事態が発生するのを回避することができる。
【００１７】
また、前記記憶部に記憶された破壊データを前記特定色のみ成分を有する画像データに変換するようにしたので、前記特定色の現像剤によって画像が破壊される（画像が塗りつぶされる）。これにより、画像の破壊処理が実施されたことをユーザに確実に認識させることができる。
【００１８】
請求項２に記載の発明は、請求項１に記載の画像処理装置において、前記第１の表色系は、赤、緑、青からなる表色系であり、前記第２の表色系は、シアン、マゼンタ、イエロー、黒からなる表色系であり、前記画像破壊処理部は、前記原稿画像データを構成する各画素の赤、緑、青の画素データを全て予め定められた１つの画素値に設定してなる画像データを破壊データとして生成し、前記変換処理部は、前記破壊データをシアン、マゼンタ、イエローの各色の画像データＣ１，Ｍ１，Ｙ１に変換するとともに、下記式（１）における係数αを１に設定し、前記画像データＣ１，Ｍ１，Ｙ１から下記式（１）を用いて前記黒色の画像データＫ１を導出する黒生成処理部と、前記画像データＣ１，Ｍ１，Ｙ１，Ｋ１と前記式（２）〜（４）とを用い、下色除去を施したシアン、マゼンタ、イエローの画像データＣ２，Ｍ２，Ｙ２を生成し、前記画像データＣ２，Ｍ２，Ｙ２，Ｋ１を、前記画像形成部に出力する画像データとして設定する下色除去処理部とを有するものである。
【００１９】
Ｋ１＝ｍｉｎ（Ｃ１，Ｍ１，Ｙ１）×α（αは０から１までの係数）・・・（１）
Ｃ２＝Ｃ１−Ｋ１    ・・・（２）
Ｍ２＝Ｍ１−Ｋ１    ・・・（３）
Ｙ２＝Ｙ１−Ｋ１    ・・・（４）
ｍｉｎ（Ｃ１，Ｍ１，Ｙ１）は、画像データＣ１，Ｍ１，Ｙ１の中で最小のもの
【００２０】
請求項６に記載の発明は、請求項５に記載の画像処理方法において、前記第１の表色系は、赤、緑、青からなる表色系であり、前記第２の表色系は、シアン、マゼンタ、イエロー、黒からなる表色系であり、前記画像破壊処理ステップは、前記原稿画像データを構成する各画素の赤、緑、青の画素データを全て予め定められた１つの画素値に設定してなる画像データを破壊データとして生成するステップであり、前記変換処理ステップは、黒生成処理部が、前記破壊データをシアン、マゼンタ、イエローの各色の画像データＣ１，Ｍ１，Ｙ１に変換するとともに、下記式（１）における係数αを１に設定し、前記画像データＣ１，Ｍ１，Ｙ１から下記式（１）を用いて前記黒色の画像データＫ１を導出する黒生成処理ステップと、下色除去処理部が、前記画像データＣ１，Ｍ１，Ｙ１，Ｋ１と前記式（２）〜（４）とを用い、下色除去を施したシアン、マゼンタ、イエローの画像データＣ２，Ｍ２，Ｙ２を生成し、前記画像データＣ２，Ｍ２，Ｙ２，Ｋ１を、前記画像形成部に出力する画像データとして設定する下色除去処理ステップとを有するものである。
【００２１】
Ｋ１＝ｍｉｎ（Ｃ１，Ｍ１，Ｙ１）×α（αは０から１までの係数）・・・（１）
Ｃ２＝Ｃ１−Ｋ１    ・・・（２）
Ｍ２＝Ｍ１−Ｋ１    ・・・（３）
Ｙ２＝Ｙ１−Ｋ１    ・・・（４）
ｍｉｎ（Ｃ１，Ｍ１，Ｙ１）は、画像データＣ１，Ｍ１，Ｙ１の中で最小のもの
【００２２】
これらの発明によれば、画像を破壊したことをユーザに示すための画像形成動作を黒色の現像剤のみで実施することができる。また、従来の前記黒生成処理及び下色除去処理で用いる演算式（１）に含まれる係数αの設定だけで、零以外の画素値を有する黒色の画像データと、零の画素値を有するシアン、マゼンタ、イエローの画像データとを生成することができ、画像を破壊したことをユーザに示すための画像形成時における現像剤の消費抑制を簡単な処理で実現することができる。
【００２３】
請求項３に記載の発明は、請求項１に記載の画像処理装置において、前記第１の表色系は、赤、緑、青からなる表色系であり、前記第２の表色系は、シアン、マゼンタ、イエロー、黒からなる表色系であり、前記画像破壊処理部は、前記原稿画像データを構成する各画素の赤、緑、青の画素データを全て予め定められた１つの画素値に設定してなる画像データを破壊データとして生成し、前記変換処理部は、前記破壊データをシアン、マゼンタ、イエローの各色の画像データＣ１，Ｍ１，Ｙ１に変換するとともに、下記式（５）における係数αを１に設定し、前記画像データＣ１，Ｍ１，Ｙ１から下記式（５）を用い画像データＴ１を前記特定色の画像データとして導出する第１の処理部と、前記画像データＣ１，Ｍ１，Ｙ１，Ｔ１から前記式（６）〜（８）を用い、画像データＴ２，Ｔ３，Ｔ４を前記特定色以外の各色の画像データとして生成し、前記画像データＴ１，Ｔ２，Ｔ３，Ｔ４を、前記画像形成部に出力する画像データとして設定する第２の処理部とを有するものである。
【００２４】
Ｔ１＝ｍｉｎ（Ｃ１，Ｍ１，Ｙ１）×α（αは０から１までの係数）・・・（５）
Ｔ２＝Ｃ１−Ｔ１    ・・・（６）
Ｔ３＝Ｍ１−Ｔ１    ・・・（７）
Ｔ４＝Ｙ１−Ｔ１    ・・・（８）
ｍｉｎ（Ｃ１，Ｍ１，Ｙ１）は、画像データＣ１，Ｍ１，Ｙ１の中で最小のもの
【００２５】
請求項７に記載の発明は、請求項５に記載の画像処理方法において、前記第１の表色系は、赤、緑、青からなる表色系であり、前記第２の表色系は、シアン、マゼンタ、イエロー、黒からなる表色系であり、前記画像破壊処理ステップは、前記原稿画像データを構成する各画素の赤、緑、青の画素データを全て予め定められた１つの画素値に設定してなる画像データを破壊データとして生成するステップであり、前記変換処理ステップは、第１の処理部が、前記破壊データをシアン、マゼンタ、イエローの各色の画像データＣ１，Ｍ１，Ｙ１に変換するとともに、下記式（５）における係数αを１に設定し、前記画像データＣ１，Ｍ１，Ｙ１から下記式（５）を用い画像データＴ１を前記特定色の画像データとして導出する第１の処理ステップと、第２の処理部が、前記画像データＣ１，Ｍ１，Ｙ１，Ｔ１から前記式（６）〜（８）を用い、画像データＴ２，Ｔ３，Ｔ４を前記特定色以外の各色の画像データとして生成し、前記画像データＴ１，Ｔ２，Ｔ３，Ｔ４を、前記画像形成部に出力する画像データとして設定する第２の処理ステップとを有するものである。
【００２６】
Ｔ１＝ｍｉｎ（Ｃ１，Ｍ１，Ｙ１）×α（αは０から１までの係数）・・・（５）
Ｔ２＝Ｃ１−Ｔ１    ・・・（６）
Ｔ３＝Ｍ１−Ｔ１    ・・・（７）
Ｔ４＝Ｙ１−Ｔ１    ・・・（８）
ｍｉｎ（Ｃ１，Ｍ１，Ｙ１）は、画像データＣ１，Ｍ１，Ｙ１の中で最小のもの
【００２７】
これらの発明によれば、画像を破壊したことをユーザに示すための画像形成動作をシアン、マゼンタ、イエローのいずれか一色の現像剤のみで実施することができ、画像を破壊したことをユーザに示すための画像形成時における現像剤の消費を抑制することができる。
【００２８】
請求項４に記載の発明は、請求項１乃至３のいずれか一項に記載の画像処理装置と、前記各色の現像剤を用いて画像を形成する画像形成部を備え、前記画像形成部は、前記画像処理装置から出力される前記画像データに基づき記録媒体への画像形成動作を行う画像形成装置である。
【００２９】
この発明によれば、画像形成装置において、請求項１乃至３のいずれか一項に記載の発明による作用が得られる。
【発明の効果】
【００３０】
本発明によれば、画像の破壊処理が実施されたことをユーザに確実に認識させることができるとともに、画像を破壊したことをユーザに示すための画像形成時における現像剤の消費を抑制しつつ、機密文書等の漏洩を確実に防止することができる。
【発明を実施するための最良の形態】
【００３１】
以下、本発明に係る画像処理装置及び画像形成装置の一実施形態である複写機について図面を参照しながら説明する。図１は、前記複写機の構成を示す図である。
【００３２】
図１に示すように、複写機１は、本体内にマゼンタ（Ｍ）、シアン（Ｃ）、イエロー（Ｙ）及びブラック（Ｋ）の各色別に画像形成部２Ｍ、２Ｃ、２Ｙ、２Ｋが並設されている。
【００３３】
画像形成部２Ｍ、２Ｃ、２Ｙ及び２Ｋ（これらを纏めて画像形成部２という）は、用紙に対するカラー画像及びモノクロ画像の形成（印刷）を行うものであり、例えばアモルファスシリコンからなり、回転可能に支持されたドラム状の感光体ドラム３、この感光体ドラム３の周囲に配設された帯電部４、露光部５、現像部６及びクリーニング部７を備えている。
【００３４】
帯電部４は、感光体ドラム３の表面を所定電位に均一に帯電させるものである。露光部５は、後述の記憶部４０（図２参照）等から送信されてきた画像データに基づき生成されたレーザービーム（ＬＥＤ光）を感光体ドラム３の表面に照射し、該感光体ドラム３の表面上に静電潜像を形成するものである。現像部６は、感光体ドラム３に形成された静電潜像に対してトナー供給部６１から供給されるトナーを付着させることで、トナー像として静電潜像を顕在化させるものである。クリーニング部７は、後述する中間ベルト１０へのトナー画像の一次転写終了後、感光体ドラム３の表面に付着したトナーを除去するものである。
【００３５】
画像形成部２Ｍ〜２Ｋの下方には、感光体ドラム３表面に顕在化したトナー像の中間転写（一次転写）を行うための中間転写ローラ９（一次転写ローラ）及び中間ベルト（中間転写ベルト）１０が配設されている。中間ベルト１０は、所定のベルト体からなり、各感光体ドラム３と対向配置された中間転写ローラ９によって感光体ドラム３に押圧された状態で駆動ローラ１１〜１３により周回走行するように構成されている。感光体ドラム３上に形成される各色のトナー像は、周回走行する中間ベルト１０上に、それぞれタイミングを合わせて、マゼンタ、シアン、イエロー及びブラックの順に転写されて重ね合わされる。これにより中間ベルト１０上にＹ、Ｍ、Ｃ、Ｋの４色からなるカラー画像が形成される。
【００３６】
駆動ローラ１３と対向する位置には、中間ベルト１０を介して２次転写ローラ１４が設けられている。２次転写ローラ１４は、後述の制御部３３（図２参照）からの転写バイアスによって中間ベルト１０上のカラー画像を用紙へ転写するものである。
【００３７】
また、複写機１は、画像形成部２Ｙ〜２Ｋへ向けて給紙を行う給紙部１５を備えている。給紙部１５は、各サイズの用紙を収納する給紙カセット１５１、用紙が搬送される経路である搬送路１５２及び搬送路１５２中の用紙の搬送を行う搬送ローラ１５３等を備え、給紙カセット１５１から１枚ずつ取り出された用紙を画像形成部２Ｙ〜２Ｋ、すなわち２次転写ローラ１４の位置へ向けて搬送する。なお、給紙部１５は、２次転写処理された用紙を定着部１６へ搬送し、この定着処理された用紙を複写機１の本体上部に設置された用紙排出トレイ１７へ排出する。
【００３８】
搬送路１５２における２次転写ローラ１４より下流側の適所には、定着部１６が設けられている。定着部１６は、用紙に転写されたトナー像を定着させるものである。定着部１６はヒートローラ１６１及び圧ローラ１６２からなり、ヒートローラ１６１の熱によって用紙上のトナーを溶かし、圧ローラ１６２によって圧力をかけてトナーを用紙上に定着させる。
【００３９】
また、複写機１は、中間ベルト１０上のトナー（残留トナー）を除去（回収）する除電クリーニング１８を備えている。除電クリーニング１８は、図略のクリーニング電極及びクリーニングブラシ（回転ブラシ）からなり、クリーニング電極によってトナーの帯電電荷と逆極性のクリーニングバイアスをクリーニングブラシに印加し、これによる静電気力によって中間ベルト１０上のトナーをクリーニングブラシに移動させることでトナー除去を行う。
【００４０】
複写機本体の上部には、原稿読取部２０と原稿給送部２４とが設けられている。原稿読取部２０は、複数の画素を有してなるＣＣＤ(Charge Coupled Device)センサ及び露光ランプ等からなるスキャナ部２１と、ガラス等の透明部材により構成された原稿台２２及び原稿読取スリット２３とを備える。スキャナ部２１は、図略の駆動部によって移動可能に構成され、原稿台２２に載置された原稿を読み取るときは、原稿台２２に対向する位置で原稿面に沿って移動され、原稿画像を走査しつつ取得したＲ（赤）、Ｇ（緑）、Ｂ（青）の画像データ（各画素データ）を制御部３３（図２参照）へ出力する。また、原稿給送部２４により給送された原稿を読み取るときは、原稿読取スリット２３と対向する位置に移動され、原稿読取スリット２３を介して原稿給送部２４による原稿の搬送動作と同期して原稿の画像を取得し、その画像データを制御部３３へ出力する。
【００４１】
原稿給送部２４は、原稿を載置するための原稿載置部２５と、画像読み取り済みの原稿を排出するための原稿排出部２６と、原稿載置部２５に載置された原稿を１枚ずつ繰り出して原稿読取スリット２３に対向する位置へ搬送し、原稿排出部２６へ排出するための給紙ローラや搬送ローラ（図示せず）等からなる原稿搬送機構２７とを備える。原稿搬送機構２７は、さらに原稿を表裏反転させて原稿読取スリット２３と対向する位置へ再搬送する用紙反転機構（図示せず）を備え、原稿の両面の画像を、原稿読取スリット２３を介してスキャナ部２１から読取可能にしている。
【００４２】
また、原稿給送部２４は、その前面側が上方に移動可能となるように本体部２に対して回動自在に設けられている。原稿給送部２４の前面側を上方に移動させて原稿台２２の上面を開放することにより、原稿台２２の上面に読み取り原稿、例えば見開き状態にされた書籍等を操作者が載置できるようになっている。
【００４３】
図２は、複写機１の電気的な構成の一例を示すブロック構成図である。図２に示すように、複写機１は、原稿読取部２０、ネットワークＩ／Ｆ（インターフェース）部３０、記憶部４０、ユーザインターフェース部５０、記録部６０及び制御部３３を備えている。なお、図１に示す構成と同一のものについては同一の番号を付し、その説明を省略する。
【００４４】
ネットワークＩ／Ｆ部３０は、ＬＡＮ等のネットワークを介して接続されたＰＣ等の情報処理装置（外部装置）との間における種々のデータの送受信を制御するものである。記憶部４０は、ネットワークＩ／Ｆ部３０を介してＰＣ等から送信されてきた画像データを一時的に記憶するものである。
【００４５】
ユーザインターフェース部５０は、複写機１の例えばフロント部に設けられ、ユーザが操作画面や各種メッセージ等を視覚的に提供する表示部５１と、ユーザによる各種指示入力が行われる入力操作部５２とを含むものである。表示部５１は、ＬＣＤ（Liquid Crystal Display）やＥＬＤ（Electronic Luminescent Display）等によって構成され、前記入力操作部５２を構成するタッチパネルと一体的に形成されている。タッチパネルは、ユーザによるタッチ操作がなされたときにそのタッチ位置を検知し、該タッチ位置を示す検知信号を後述する制御部３３へ出力する。表示部５１は、紙サイズ選択、倍率選択、濃度選択等のユーザに対する操作案内画面を表示する。
【００４６】
入力操作部５２は、例えば、複合機１のコピー機能を動作させる際はコピー枚数を、ファクシミリ機能を動作させる際は送信先の電話番号等を入力するための数字キー群、複合機１を節電（低電力）モードにする節電ボタン、コピー動作やスキャナ動作等を開始させるスタートボタン、コピー動作やスキャナ動作等の停止、入力操作の取り消しを行うストップ／クリアボタン、表示部の表示や各種設定を初期状態又は標準動作状態にするリセットボタン、各種機能を設定するための機能選択ボタンである。
【００４７】
記録部６０は、上記画像形成部２、転写部６１、定着部１６及び給紙部９を備え、記憶部４０に記憶されるなどした画像データに基づいて用紙に対する画像印刷を行うものである。転写部６１は、上述の中間ベルト１０、駆動ローラ１１〜１３及び２次転写ローラ１４等を備えてなり、中間ベルト１０を介して感光体ドラム３上のトナー像を用紙に転写するものである。
【００４８】
制御部３３は、各種制御プログラムを記憶するＲＯＭ（Read Only Memory）、データを一時的に保管する機能や作業領域としての機能を有するＲＡＭ（Random Access Memory）、及び上記制御プログラム等をＲＯＭから読み出して実行するＣＰＵ（Central Processing Unit）などからなり、上記各機能部に対する各種制御信号の送受信を行い、複写機１全体の動作制御を司るものである。
【００４９】
また、制御部３３は、補正処理部３３１と、ドットパターン検出処理部３３２と、画像破壊処理部３３３と、格納処理部３３４と、ＲＧＢ／ＣＭＹ変換処理部３３５と、ＵＣＲ・黒生成処理部３３６と、スクリーン処理部３３７とを有する。なお、制御部３３の前記各部３３１〜３３７は、回路として設けられてもよいし、図略のＨＤＤ（Hard Disk Drive）やメモリ等の記憶装置に記憶された画像処理プログラムに従って前記ＣＰＵが前記各部３３１〜３３７として機能するようにしてもよい。
【００５０】
補正処理部３３１は、原稿に対する光源の照明むらやＣＣＤにおける各受光センサの感度バラツキ等に起因する画像データのバラツキを補正するシェーディング補正、ＣＣＤの各色成分のラインセンサ間隔によるずれを補正するＣＣＤライン補正、ＲＧＢ各色の波長の相違、及びスキャナ部２１が有する図略の光学系の特性に起因する色ずれを補正する色収差補正、図略の光学系によるＣＣＤへの入射光の「ぼけ」を補正してメリハリの効いた画像データに変換するＭＴＦ補正、各画素の色成分毎に階調特性を変更するガンマ補正、画素毎にＲＧＢ各色の画素値に含まれる混色成分を除去する補正を施す色補正等の各種補正処理を行うものである。
【００５１】
ドットパターン検出処理部３３２は、原稿の画像における背景部分に複写禁止用ドットパターンが形成されている場合に、原稿読取部４の画像読取動作で得られた画像データの中から前記複写禁止用ドットパターンを検出するものである。ドットパターン検出処理部３３２は、前記複写禁止用ドットパターンを予め記憶しており、検出した複写禁止用ドットパターンと予め記憶している複写禁止用ドットパターンとを比較し、それらが一致するとき、前記画像形成部２による画像形成動作を禁止する禁止信号を前記画像形成部２に出力する。
【００５２】
画像破壊処理部３３３は、前記ドットパターン検出処理部３３２により複写禁止用ドットパターンが検出された場合に、原稿読取部４の画像読取動作で得られた画像データに対して破壊処理を行うものである。具体的には、例えば図４（ａ）に示すような読取画像を図４（ｂ）に示すように黒色で塗りつぶす画像破壊処理を行うべく、原稿読取部４の画像読取動作で得られたＲ（赤）、Ｇ（緑）、Ｂ（青）の画像データに対し、画素値をＲ＝Ｇ＝Ｂ＝０とした画像データに変換する。
【００５３】
格納処理部３３４は、前記ドットパターン検出処理部３３２により前記複写禁止用ドットパターンが検出されなかった場合には、前記補正処理部３３１による補正処理後の画像データを記憶部４０に格納し、前記ドットパターン検出処理部３３２により前記複写禁止用ドットパターンが検出された場合には、画像破壊処理部３３３による破壊処理後の画像データ（以下、この画像データを破壊データという）を記憶部４０に格納するものである。
【００５４】
ＲＧＢ／ＣＭＹ変換処理部３３５は、格納処理部３３４に格納されたＲＧＢを色成分とする画像データを、周知の変換式を用いて、ＣＭＹを色成分とする画像データＣ１，Ｍ１，Ｙ１へ変換するものである。画素値を２５６階調で表すとき、画像破壊処理部３３３による破壊処理後の画像データに対してＲＧＢ／ＣＭＹ変換処理部３３５による変換処理を実施した場合の前記画像データＣ１，Ｍ１，Ｙ１は、Ｃ１＝Ｍ１＝Ｙ１＝２５５となる。
【００５５】
ＵＣＲ（Under Color Removal）・黒生成処理部３３６は、ＲＧＢ／ＣＭＹ変換処理部３３５により生成されたＣ１，Ｍ１，Ｙ１から下記式（１）を用いて黒データＫ１を生成する黒生成処理を行い、また、生成した黒データＫ１と前記画像データＣ１，Ｍ１，Ｙ１とを用いて下色除去処理を行うものである。この下色除去処理は、シアン、マゼンタ、イエローの３色の重なりからなるグレー成分を減らして黒成分で置換する処理であり、例えば前記黒データＫ１及び画像データＣ１，Ｍ１，Ｙ１をパラメータとする下記算出式（２）〜（４）により、下色除去を施した画像データＣ２，Ｍ２，Ｙ２を算出する処理である。
【００５６】
Ｋ１＝ｍｉｎ（Ｃ１，Ｍ１，Ｙ１）×α（αは０から１までの係数）・・・（１）
Ｃ２＝Ｃ１−Ｋ１    ・・・（２）
Ｍ２＝Ｍ１−Ｋ１    ・・・（３）
Ｙ２＝Ｙ１−Ｋ１    ・・・（４）
【００５７】
なお、画像形成装置１は、画質調整モードとして、文字の画像から構成される原稿の画像を用紙に形成するのに適した画像処理が実行される文字モードと、写真の画像から構成される原稿の画像を用紙に形成するのに適した画像処理が実行される写真モードを有しており、前記係数αは、写真モードの場合には０に近い値に設定され、文字モードの場合には１に近い値に設定される係数である。
【００５８】
そして、本実施形態においては、前記ドットパターン検出処理部３３２により前記複写禁止用ドットパターンが検出された場合に、ＵＣＲ・黒生成処理部３３６は前記係数αを「１」に設定する点が従来と相違する。前記係数αを「１」に設定することにより、ｍｉｎ（Ｃ１，Ｍ１，Ｙ１）＝２５５となる。したがって、前記各式（１）〜（４）により、黒データＫ１＝２５５と算出され、前記画像データＣ２，Ｍ２，Ｙ２はＣ２＝Ｍ２＝Ｙ２＝０となる。
【００５９】
このように、シアン、マゼンタ及びイエローの画像データは発生せず、黒色の画像データのみが発生するため、これらの画像データに基づいて、画像を破壊したことをユーザに示すための画像形成動作を行う際には、シアン、マゼンタ、イエローの現像剤は使用されず、黒色の現像剤のみが使用されることとなる。
【００６０】
スクリーン処理部３３７は、ＵＣＲ・黒生成処理部３３６から出力される画像データに対してスクリーン処理を行うものである。スクリーン処理は、１つの画素をマトリックス状に微小な複数のブロックに分割した場合に、１つの画素の画像の濃淡を、描画するブロックの位置や数によって表現する処理であり、スクリーン処理部３３７は、画像データに応じて描画するブロックの位置や数を指定したスクリーンを用いて処理を行う。
【００６１】
図３は、前記画像データの破壊に関連する処理を示すフローチャートである。
【００６２】
図３に示すように、制御部３３は、原稿読取部２０に原稿に対する画像読取動作を行わせ（ステップ♯１）、補正処理部３３１は、該読取動作により得られた画像データに対し、前記シェーディング補正等の補正処理を行う（ステップ♯２）。次に、ドットパターン検出処理部３３２は、ステップ♯２の補正処理後の画像データの中に前記複写禁止用ドットパターンが存在するか否かを検出する処理を実施し（ステップ♯３）、前記複写禁止用ドットパターンが存在すると判断された場合には（ステップ♯４でＹＥＳ）、画像破壊処理部３３３は、その画像データに対して画像破壊処理（Ｒ＝Ｇ＝Ｂ＝０）を行う一方（ステップ♯５）、前記複写禁止用ドットパターンが存在しないと判断された場合には（ステップ♯４でＮＯ）、画像破壊処理部３３３はステップ♯５の処理をスキップする。そして、格納処理部３３４は、ステップ♯３の前記補正処理部３３１による補正処理後の画像データ、又は、ステップ♯５の画像破壊処理部３３３による画像破壊処理後の画像データを記憶部４０に格納する（ステップ♯６）。
【００６３】
次に、ＲＧＢ／ＣＭＹ変換処理部３３５は、記憶部４０に格納されたＲＧＢを色成分とする画像データを、ＣＭＹを色成分とする画像データＣ１，Ｍ１，Ｙ１へ変換する処理を行う（ステップ♯７）。ここで、前記複写禁止用ドットパターンが検出された場合に生成される前記画像データＣ１，Ｍ１，Ｙ１はＣ１＝Ｍ１＝Ｙ１＝２５５となる。
【００６４】
そして、ＵＣＲ・黒生成処理部３３６は、当該画像が前記複写禁止用ドットパターンを有する場合には（ステップ♯８でＹＥＳ）、前記算出式（１）の係数αを「１」に設定した上で、前記算出式（１）〜（４）を用いて黒データＫ１及び画像データＣ２，Ｍ２，Ｙ２を算出する（Ｋ１＝２５５，Ｃ１＝Ｍ１＝Ｙ１＝０；ステップ♯９）。一方、ＵＣＲ・黒生成処理部３３６は、当該画像が前記複写禁止用ドットパターンを有していない場合には（ステップ♯８でＮＯ）、前記係数αを通常どおりに設定して、黒データＫ１及び画像データＣ２，Ｍ２，Ｙ２を生成する（ステップ♯１０）。このステップ♯１０の処理は、前述した従来通りの通常の画像処理に相当するものである。
【００６５】
そして、スクリーン処理部３３７は、ステップ♯９又は♯１０の処理後の画像データに対してスクリーン処理を実施する（ステップ♯１１）。
【００６６】
以上のように、画素値Ｒ，Ｇ，ＢがＲ＝Ｇ＝Ｂ＝０の破壊データを、黒色についてのみ成分を有する画像データに変換する処理を行うので、該処理後の画像データに基づいて、画像を破壊したことをユーザに示すための画像形成動作を行う際には、シアン、マゼンタ、イエローの現像剤は使用されず、黒色の現像剤のみが使用されることとなる。その結果、シアン、マゼンタ、イエローについて、成分を有する画像データが生成されることに因り、シアン、マゼンタ、イエローの現像剤を用いて黒色で塗りつぶした画像が形成されるという場合に比して、現像剤の無駄な消費を回避することができる。
【００６７】
また、前記黒生成処理及び下色除去処理で用いる演算式（１）〜（４）に含まれる係数αを「１」に設定するだけで、黒色の画像データを、零以外の画素値を有する画像データとし、シアン、マゼンタ、イエローの画像データを、零の画素値を有する画像データとすることができるため、画像を破壊したことをユーザに示すための画像形成時における現像剤の消費抑制を簡単な処理で実現することができる。
【００６８】
また、黒色のみ成分を有する画像データに変換し、黒色の現像剤によって画像が破壊される（画像が塗りつぶされる）ようにしたので、画像の破壊処理が実施されたことをユーザに確実に認識させることができる。
【００６９】
なお、本件は、前記実施形態に代えて、又は前記実施形態に加えて次のような変形形態も採用可能である。
【００７０】
［１］前記実施形態では、画像破壊処理としてＲ，Ｇ，Ｂの各画像データに対し、画素値Ｒ，Ｇ，ＢがＲ＝Ｇ＝Ｂ＝０となる画像データに変換する処理を行うようにしたが、この形態に限定されるものではない。すなわち、前記各式（１）〜（４）によれば、Ｒ，Ｇ，Ｂの各画像データを同一の値にすれば、前記実施形態と同様、黒データＫ１＝２５５となるとともに、前記Ｃ，Ｍ，Ｙの画像データＣ２，Ｍ２，Ｙ２の画素値がＣ２＝Ｍ２＝Ｙ２＝０となり、黒色の現像剤のみで塗りつぶすような画像の破壊を行うことができる。
【００７１】
また、前記実施形態では、黒色の現像剤で塗りつぶすような画像の破壊を想定した形態であるが、この形態に限らず、シアン、マゼンタ、イエローのうちいずれか１色の現像剤のみで画像を塗りつぶすような画像の破壊を想定してもよい。この場合、制御部３３は、次のような処理を行えばよい。なお、以下においては、前記ドットパターン検出処理部３３２により前記複写禁止用ドットパターンが検出された場合を前提として説明する。
【００７２】
例えばシアンの現像剤で塗りつぶすような画像の破壊を想定した場合には、まず、前記実施形態と同様、画像破壊処理部３３３は、原稿読取部４の画像読取動作で得られたＲ（赤）、Ｇ（緑）、Ｂ（青）の画像データに対し、画素値をＲ＝Ｇ＝Ｂ＝０とした画像データに変換し、格納処理部３３４は、前記画像破壊処理部３３３による破壊処理後の画像データ（破壊データ）を記憶部４０に格納する。また、ＲＧＢ／ＣＭＹ変換処理部３３５は、格納処理部３３４に格納された前記破壊画像データを、前述の周知の変換式を用いて、ＣＭＹを色成分とする画像データＣ１，Ｍ１，Ｙ１（前記実施形態と同様に画素値を２５６階調で表すものとするとき、前記画像データＣ１，Ｍ１，Ｙ１は、Ｃ１＝Ｍ１＝Ｙ１＝２５５となる。）に変換する。
【００７３】
ここで、本実施形態においては、図５に示すように、制御部３３は演算部３３８が備えられており、該演算部３３８は、前記画像データＣ１，Ｍ１，Ｙ１から下記式（５）〜（８）を用いて画像データＴ１，Ｔ２，Ｔ３，Ｔ４を算出する処理を行う。
【００７４】
Ｔ１＝ｍｉｎ（Ｃ１，Ｍ１，Ｙ１）×α（αは０から１までの係数）・・・（５）
Ｔ２＝Ｃ１−Ｔ１    ・・・（６）
Ｔ３＝Ｍ１−Ｔ１    ・・・（７）
Ｔ４＝Ｙ１−Ｔ１    ・・・（８）
【００７５】
そして、演算部３８は、前記係数αを「１」に設定する。前記係数αを「１」に設定することにより、ｍｉｎ（Ｃ１，Ｍ１，Ｙ１）＝２５５となる。したがって、前記各式（５）〜（８）により、画像データＴ１＝２５５と算出され、前記画像データＴ２，Ｔ３，Ｔ４はＴ２＝Ｔ３＝Ｔ４＝０となる。
【００７６】
演算部３３８は、前記画像データＴ１をシアンについての新たな画像データＣ２として算出するとともに、前記画像データＴ２，Ｔ３，Ｔ４を、マゼンタ、イエロー及び黒についての新たな画像データＭ２，Ｙ２，Ｋ１として算出する。すなわち、Ｃ２＝Ｔ１，Ｍ２＝Ｔ２，Ｙ２＝Ｔ３，Ｋ１＝Ｔ４である。
【００７７】
このような処理により、マゼンタ、イエロー及び黒の画像データは発生せず、シアンの画像データのみが発生するため、これらの画像データに基づいて、画像を破壊したことをユーザに示すための画像形成動作を画像形成部２が行う際には、マゼンタ、イエロー及び黒の現像剤は使用されず、シアンの現像剤のみが使用されることとなる。
【００７８】
また、マゼンタの現像剤で塗りつぶすような画像の破壊を想定した場合、前記画像データＴ１，Ｔ２，Ｔ３，Ｔ４を作成するまでの処理は、シアンの現像剤で塗りつぶすような画像の破壊を行う場合と同様であり、演算部３３８は、前記画像データＴ１をマゼンタについての新たな画像データＭ２として算出するとともに、前記画像データＴ２，Ｔ３，Ｔ４を、シアン、イエロー及び黒についての新たな画像データＣ２，Ｙ２，Ｋ１として算出する。すなわち、Ｍ２＝Ｔ１，Ｃ２＝Ｔ２，Ｙ２＝Ｔ３，Ｋ１＝Ｔ４である。
【００７９】
このような処理により、シアン、イエロー及び黒の画像データは発生せず、マゼンタの画像データのみが発生するため、これらの画像データに基づいて、画像を破壊したことをユーザに示すための画像形成動作を画像形成部２が行う際には、シアン、イエロー及び黒の現像剤は使用されず、マゼンタの現像剤のみが使用されることとなる。
【００８０】
また、イエローの現像剤で塗りつぶすような画像の破壊を想定した場合、前記画像データＴ１，Ｔ２，Ｔ３，Ｔ４を作成するまでの処理は、シアンやマゼンタの現像剤で塗りつぶすような画像の破壊を行う場合と同様であり、演算部３３８は、前記画像データＴ１をイエローについての新たな画像データＹ２として算出するとともに、前記画像データＴ２，Ｔ３，Ｔ４を、シアン、マゼンタ及び黒についての新たな画像データＹ２，Ｃ２，Ｍ２，Ｋ１として算出する。すなわち、Ｙ２＝Ｔ１，Ｃ２＝Ｔ２，Ｍ２＝Ｔ３，Ｋ１＝Ｔ４である。
【００８１】
このような処理により、シアン、イエロー及び黒の画像データは発生せず、マゼンタの画像データのみが発生するため、これらの画像データに基づいて、画像を破壊したことをユーザに示すための画像形成動作を行う際には、シアン、イエロー及び黒の現像剤は使用されず、マゼンタの現像剤のみが使用されることとなる。
【図面の簡単な説明】
【００８２】
【図１】本発明に係る画像処理装置を搭載した複写機の一例の構成を示す図である。
【図２】複写機１の電気的な構成の一例を示すブロック構成図である。
【図３】前記画像データの破壊に関連する処理を示すフローチャートである。
【図４】（ａ）は画像破壊処理を行う前に原稿の画像を示す図、（ｂ）は、（ａ）に示す画像の画像データに対して画像破壊処理を実施した場合の画像を示す図である。
【図５】複写機１の電気的な構成の変形例を示すブロック構成図である。
【符号の説明】
【００８３】
２    画像形成部
３３    制御部
３３１  補正処理部
３３２  ドットパターン検出処理部
３３３  画像破壊処理部
３３４  格納処理部
３３５  ＲＧＢ／ＣＭＹ変換処理部
３３６  ＵＣＲ・黒生成処理部
３３７  スクリーン処理部
３３８  演算部
【図１】
2010130529.tif 000003
【図２】
2010130529.tif 000004
【図３】
2010130529.tif 000005
【図４】
2010130529.tif 000006
【図５】
2010130529.tif 000007